(57)【特許請求の範囲】
【請求項１】
ランプハウジング及びレンズにより灯室が画成されており、前記ランプハウジングには呼吸筒が一体に突設されており、前記呼吸筒には呼吸グロメットが取り付けられており、前記呼吸グロメットの下方には開口部が設けられており、前記呼吸筒及び前記呼吸グロメットの開口部を介して前記灯室内の呼吸作用がなされ、前記灯室内には光源バルブが配設されており、前記光源バルブはコネクタを介して電源に電気的に接続されており、前記コネクタは前記ランプハウジングに設けられた固定リブに固定されている車両用灯具において、
前記呼吸グロメットの下方開口部と前記コネクタの固定リブとは上下に配置され、前記ランプハウジングのうち、前記呼吸グロメットの下方開口部と前記コネクタの固定リブとの間には、水が下方から前記呼吸グロメットの下方開口部に入るのを防ぐと共に水が上方から前記コネクタにかかるのを防ぐ遮水リブが設けられ、
該遮水リブが、前記ランプハウジングに対して前記固定リブ及び前記コネクタよりも長く突出しており、前記灯具を車体に取り付ける際のコネクタの保護及び前記固定リブの補強をなすことを特徴とする車両用灯具。
【発明の詳細な説明】
【０００１】
【発明の属する技術分野】
本発明は、灯室内の呼吸作用を行う呼吸構造と、光源バルブと電源との電気的接続を行うコネクタとを有する車両用灯具に係り、特に呼吸構造における水の侵入防止効果とコネクタへの防水効果とが優れ、しかも１個の部材で両効果を達成できる車両用灯具に関するものである。
【０００２】
【従来の技術】
以下、この種の従来の車両用灯具を図３及び図４を参照して説明する。この例は、自動車のヘッドランプについて説明する。なお、図面中、ハッチングは図面の読解上省略してある。
図において、１はランプハウジングである。このランプハウジング１の前面開口部には前面レンズ２がシール剤や接着剤（例えば、ホットメルト）等により配設されていて、その前面レンズ２及びランプハウジング１により灯室３が画成形成されている。この灯室３内には可動リフレクタ４が配設されており、その可動リフレクタ４は前記ランプハウジング１に、上下方向用の光軸調整装置５及び左右方向用の光軸調整装置（図示せず、なお、この左右方向用の光軸調整装置は例えばフォグランプ等には装備されない場合がある。この場合、可動リフレクタ４は上下方向のみに回動傾倒する）及びピボット軸受機構６により上下方向及び左右方向に回動傾倒可能に取り付けられている。その可動リフレクタ４の前面側には光源バルブ（図示せず）からの光を前記前面レンズ２側に反射させる反射面７が設けられている。その可動リフレクタ４の反射面７側には光源バルブ（図示せず）が着脱可能に装備されており、かつその光源バルブは前記灯室３内に配設されている。
【０００３】
図において、８は前記ランプハウジング１の背面上部に一体に突設された呼吸筒である。この呼吸筒８には例えばゴム製の呼吸グロメット９の上端開口部１５が取り付けられており、この呼吸グロメット９の下方には開口部１０が設けられている。この呼吸筒８及び呼吸グロメット９の下方開口部１０を介して前記灯室３内の呼吸作用がなされる。この呼吸筒８及び呼吸グロメット９等から呼吸構造が構成される。
【０００４】
図において、１１は上述の光源バルブに接続されたコードである。このコード１１は、ランプハウジング１の背面中央に着脱可能に取り付けられたキャップ１２に対して水密に挿通されていて、かつメス型コネクタ１３（若しくはオス型コネクタ）に電気的に接続されている。このメス型コネクタ１３はランプハウジング１の背面下部に一体に突設された固定リブ１４に係合手段等により固定されている。このメス型コネクタ１３に電源（バッテリー）側に電気的に接続されたオズ型コネクタ（図示せず、若しくはメス型コネクタ）が着脱可能に接続されることにより、光源バルブはコネクタ１３を介して電源に電気的に接続されることとなる。
上述の呼吸グロメット９とコネクタ１３とは、左右方向においてずれた位置にそれぞれ配設されている。
【０００５】
【発明が解決しようとする課題】
ところが、上述の従来の車両用灯具は、呼吸グロメット９及びコネクタ１３に対する遮水構造が何等施されていないので、図中矢印に示すように、水が下方から呼吸構造の呼吸グロメット９の下方開口部１０に入ると共に、水が上方からコネクタ１３にかかる場合がある。
【０００６】
本発明の目的は、呼吸構造における水の侵入防止効果とコネクタへの防水効果とが優れ、しかも１個の部材で両効果を達成できる車両用灯具を提供することにある。
【０００７】
【課題を解決するための手段】
本発明は、上記の目的を達成するために、ランプハウジング及びレンズにより灯室が画成されており、前記ランプハウジングには呼吸筒が一体に突設されており、前記呼吸筒には呼吸グロメットが取り付けられており、前記呼吸グロメットの下方には開口部が設けられており、前記呼吸筒及び前記呼吸グロメットの開口部を介して前記灯室内の呼吸作用がなされ、前記灯室内には光源バルブが配設されており、前記光源バルブはコネクタを介して電源に電気的に接続されており、前記コネクタは前記ランプハウジングに設けられた固定リブに固定されている車両用灯具において、前記呼吸グロメットの下方開口部と前記コネクタの固定リブとは上下に配置され、前記ランプハウジングのうち、前記呼吸グロメットの下方開口部と前記コネクタの固定リブとの間には、水が下方から前記呼吸グロメットの下方開口部に入るのを防ぐと共に水が上方から前記コネクタにかかるのを防ぐ遮水リブが設けられ、該遮水リブが、前記ランプハウジングに対して前記固定リブ及び前記コネクタよりも長く突出しており、前記灯具を車体に取り付ける際のコネクタの保護及び前記固定リブの補強をなすことを特徴とする。
【０００８】
この結果、本発明の車両用灯具は、遮水リブにより、水が下方から呼吸グロメットの下方開口部に入るのを防ぐと共に水が上方からコネクタにかかるのを防ぐことができる。
しかも、本発明の車両用灯具は、呼吸グロメットの下方開口部とコネクタの固定リブとは上下に配置され、その呼吸グロメットの下方開口部とコネクタの固定リブとの間には遮水リブが配置されているので、この１個の遮水リブで、呼吸構造における水の侵入防止効果とコネクタへの防水効果との両効果が達成される。
【０００９】
【発明の実施の形態】
以下、本発明の車両用灯具の一実施の形態を図１及び図２を参照して説明する。この例は車両用灯具のヘッドランプに使用した例について説明する。図中、図３及び図４と同符号は同一のものを示す。なお、図面中、ハッチングは図面の読解上省略してある。
【００１０】
本発明の車両用灯具の呼吸グロメット９は、呼吸グロメット９の下方開口部１０がコネクタ１３の固定リブ１４の上方に位置するように、ランプハウジング１に一体に設けられたホルダ１８によりランプハウジング１に取り付けられている。この結果、呼吸グロメット９の下方開口部１０とコネクタ１３の固定リブ１４とは上下に配置されることとなる。
この呼吸グロメット９の上端開口部１５と呼吸筒８との間には連通管１６の両端がそれぞれ接続されている。
【００１１】
上述のランプハウジング１の背面のうち、呼吸グロメット９の下方開口部１０とコネクタ１３の固定リブ１４との間には遮水リブ１７が一体に突設されている。この遮水リブ１７は、水が下方から呼吸グロメット９の下方開口部１０に入るのを防ぐと共に水が上方からコネクタ１３にかかるのを防ぐものであって、背面から見てへの字形状をなし、かつ、ランプハウジング１に対して固定リブ１４及びコネクタ１３よりも若干背面側に長く突出しており、コネクタ１３の保護及び固定リブ１４の補強をなすものである。
【００１２】
この実施の形態における本発明の車両用灯具は、以上の如き構成からなるので、遮水リブ１７により、水が下方から呼吸グロメット９の下方開口部１０に入るのを防ぐと共に水が上方からコネクタ１３にかかるのを防ぐことができる。
しかも、この実施の形態における本発明の車両用灯具は、呼吸グロメット９の下方開口部１０とコネクタ１３の固定リブ１４とは上下に配置され、その呼吸グロメット９の下方開口部１０とコネクタ１３の固定リブ１４との間には遮水リブ１７が配置されているので、この１個の遮水リブ１７で、呼吸構造における水の侵入防止効果とコネクタ１３への防水効果との両効果が達成される。
【００１３】
特に、この実施の形態における本発明の車両用灯具は、背面から見てへの字形状をなし、かつ、ランプハウジング１に対して固定リブ１４及びコネクタ１３よりも若干背面側に長く突出しているので、灯具を車体に取り付ける際にコネクタ１３の保護となり、また固定リブ１４の補強となる。
【００１４】
なお、上述の実施の形態においては、ヘッドランプの車両用灯具に使用した例について説明したが、本発明はその他のフォグランプやフロントコンビネーションランプやリヤーコンビネーションランプ等の車両用灯具にも適用できる。
【００１５】
【発明の効果】
以上から明らかなように、本発明の車両用灯具は、呼吸構造における水の侵入防止効果とコネクタへの防水効果とが優れ、しかも１個の部材で両効果を達成できる。
【図面の簡単な説明】
【図１】本発明の車両用灯具の一実施の形態を示した一部背面図である。
【図２】図１におけるＩＩ−ＩＩ線断面図である。
【図３】従来の車両用灯具を示した一部背面図である。
【図４】図３におけるＩＶ−ＩＶ線断面図である。
【符号の説明】
１…ハウジング、２…レンズ、３…灯室、４…可動リフレクタ、５…上下方向用の光軸調整装置、６…ピボット軸受機構、７…反射面、８…呼吸筒、９…子旧グロメット、１０…下方開口部、１１…コード、１２…キャップ、１３…コネクタ、１４…固定リブ、１５…上端開口部、１６…連通管、１７…遮水リブ。
【図１】
0003965712.tif 000002
【図２】
0003965712.tif 000003
【図３】
0003965712.tif 000004
【図４】
0003965712.tif 000005